(57)【要約】【課題】見栄えを向上させることができると共に、内装品本体に対する組付性を高めることができる内装部品を提供する。【解決手段】本部品は、内装品本体（ドアトリム本体４）に取り付けるための爪部９を有し且つ透光性を有する基材５と、長尺状の導光体（導光棒６）と、を備える内装部品（加飾パネル１）であって、前記基材には、その外周側に沿って第１リブ（外周側リブ７）が設けられており、前記導光体は、前記第１リブと前記爪部の脚部（支持柱１０）との間に挟持されている。【選択図】図４
2010120604.tif 000002
【特許請求の範囲】
【請求項１】
内装品本体に取り付けるための爪部を有し且つ透光性を有する基材と、
長尺状の導光体と、を備える内装部品であって、
前記基材には、その外周側に沿って第１リブが設けられており、
前記導光体は、前記第１リブと前記爪部の脚部との間に挟持されていることを特徴とする内装部品。
【請求項２】
前記爪部の脚部には薄肉部が設けられており、前記導光体は、前記第１リブと前記薄肉部との間に挟持されている請求項１記載の内装部品。
【請求項３】
前記基材には前記第１リブに対向する第２リブが設けられており、
前記導光体は、前記第１リブと前記第２リブとの間に挟持されている請求項１又は２に記載の内装部品。
【請求項４】
前記爪部は、前記第２リブに一体形成されている請求項３記載の内装部品。
【請求項５】
前記基材の表面には、ハーフミラーからなるシート材が設けられており、該シート材の表面には、印刷部及び非印刷部が設けられており、前記導光体は、該非印刷部の裏面側に配置されている請求項１乃至４のいずれか一項に記載の内装部品。
【発明の詳細な説明】
【技術分野】
【０００１】
本発明は、内装部品に関し、さらに詳しくは、見栄えを向上させることができると共に、内装品本体に対する組付性を高めることができる内装部品に関する。
【背景技術】
【０００２】
従来より、車両等の内装部品として、ベーストリムの一部を被覆する加飾パネルと、長尺状の導光体とを備えるものが知られている（例えば、特許文献１参照）。
上記特許文献１には、ベーストリムと加飾パネル（パネルトリム）との間に形成された間隙を介して導光体により車室内を照明することが開示されている。また、導光体を、ベーストリムの収容溝及び係合爪の間に挟持させて取り付けることが開示されている。
しかし、上記特許文献１では、ベーストリムと加飾パネルとの間に照明用の隙間を形成しているので、その隙間により見栄えが悪くなる。また、車体に組み付けられたベーストリムに対して導光体及び光源等を取り付け、その後、ベーストリムに対して加飾パネルを取り付ける必要があり、導光体及び加飾パネルの組付性が低いものであった。
【０００３】
ここで、車両等の内装部品において、表面模様が異なる部位を隣接させる場合、表面模様が異なる２部材を用意して両部材を互いに固定することが一般に行われている。しかしながら、この技術では、表面模様が異なる２部材が必要であり部品点数が多く、また両部材の固定部位が邪魔となり上述の導光体を直線状に配置し難いものとなっていた。
なお、加飾パネルとして、その表面に木目調フィルムを設けてなるものが知られている（例えば、特許文献２参照）。この木目調フィルムは、通常、クリアフィルムに木目調を印刷して構成されており、木目調の印刷の一部を抜くと中見えしてしまい見栄えが悪いため、クリアフィルムの表面全域に木目調を印刷する必要がある。
【０００４】
【特許文献１】特開２００８−１４３４２５号公報
【特許文献２】特開２００６−３２１３３６号公報
【発明の開示】
【発明が解決しようとする課題】
【０００５】
本発明は、上記現状に鑑みてなされたものであり、見栄えを向上させることができると共に、内装品本体に対する組付性を高めることができる内装部品を提供することを目的とする。
本発明は、上記目的に加えて、表面模様が異なる部位を隣接させる際に部品点数を低減することができる内装部品を提供することを他の目的とする。
【課題を解決するための手段】
【０００６】
本発明は、以下の通りである。
１．内装品本体に取り付けるための爪部を有し且つ透光性を有する基材と、
長尺状の導光体と、を備える内装部品であって、
前記基材には、その外周側に沿って第１リブが設けられており、
前記導光体は、前記第１リブと前記爪部の脚部との間に挟持されていることを特徴とする内装部品。
２．前記爪部の脚部には薄肉部が設けられており、前記導光体は、前記第１リブと前記薄肉部との間に挟持されている上記１．記載の内装部品。
３．前記基材には前記第１リブに対向する第２リブが設けられており、
前記導光体は、前記第１リブと前記第２リブとの間に挟持されている上記１．又は２．に記載の内装部品。
４．前記爪部は、前記第２リブに一体形成されている上記３．記載の内装部品。
５．前記基材の表面には、ハーフミラーからなるシート材が設けられており、該シート材の表面には、印刷部及び非印刷部が設けられており、前記導光体は、該非印刷部の裏面側に配置されている上記１．乃至４．のいずれか一項に記載の内装部品。
【発明の効果】
【０００７】
本発明の内装部品によると、導光体は、第１リブと爪部の脚部との間に挟持されているので、導光体を基材に一体的に取り付け、その一体物を内装品本体に取り付けることができる。そのため、内装品本体に対して内装部品を組み付ける際に導光体の脱落を抑制することができ、内装品本体に対する内装部品の組付性を高めることができる。また、透光性を有する基材の裏面側から導光体により透過照明できるので、従来のように内装部品に隙間を設けるものに比べて、見栄えを向上させることができる。
また、前記爪部の脚部には薄肉部が設けられており、前記導光体が、前記第１リブと前記薄肉部との間に挟持されている場合は、爪部の脚部の一部が薄肉部となることにより、基材表面のヒケを抑制しつつ、この薄肉部が導光体を収納する凹部となり、基材に対して導光体をより確実に挟持させることができる。
また、前記基材には前記第１リブに対向する第２リブが設けられており、前記導光体が、前記第１リブと前記第２リブとの間に挟持されている場合は、基材に対して導光体をより確実に挟持させることができる。
また、前記爪部が、前記第２リブに一体形成されている場合は、基材に対して導光体をさらに確実に挟持させることができる。また、導光体を直線状に配置させ易い。
さらに、前記基材の表面には、ハーフミラーからなるシート材が設けられており、該シート材の表面には、印刷部及び非印刷部が設けられており、前記導光体が、該非印刷部の裏面側に配置されている場合は、昼間等の非照明時にはハーフミラーにより非印刷部での中見えを抑制できると共に、非印刷部による金属調の表面模様と印刷部による所定の表面模様とを隣接させることができる。一方、夜間等の照明時には非印刷部及び透光性の基材を介して導光体により透過照明されてイルミネーション効果を高めることできる。
【発明を実施するための最良の形態】
【０００８】
１．内装部品
本実施形態１．に係る内装部品は、内装品本体に取り付けるための爪部を有し且つ透光性を有する基材と、長尺状の導光体と、を備える内装部品であって、基材には、その外周側に沿って第１リブが設けられており、導光体は、第１リブと爪部の脚部との間に挟持されていることを特徴とする。
【０００９】
上記内装品の種類、形状、大きさ、個数等は特に問わない。この内装品としては、例えば、ドアトリム、フロアトリム、インストルメントパネル、コンソールボックス、グローブボックス、アームレスト等を挙げることができる。
【００１０】
上記基材の構成、形状、大きさ、個数、材質等は特に問わない。この基材は、例えば、導光体の一端側に接続される光源ユニットを取付可能な構成とされていることができる。
【００１１】
上記爪部の形状、大きさ、個数、設置形態等は特に問わない。この爪部の脚部には、例えば、薄肉部が設けられていることができる。この場合、上記導光体は、第１リブと薄肉部との間に挟持される。この爪部は、例えば、根元側の薄肉部、薄肉部に連なる厚肉部、並びに薄肉部及び厚肉部を連絡する段差部を有する支持柱と、この支持柱の先端側に設けられ且つ内装品本体に係止する係止フックと、を有することができる。この段差部は、通常、第１リブと薄肉部との間に挟持された導光体の脱落を防止する機能を果たす。
【００１２】
上記第１リブの形状、大きさ、個数、設置形態等は特に問わない。なお、上記「その外周側に沿って」とは、第１リブが基材の外周側の少なくとも一部に沿っていることを意図している。
【００１３】
上記導光体の構成、形状、大きさ、個数、配置形態等は特に問わない。この導光体としては、例えば、導光管、導光板等を挙げることができる。
【００１４】
ここで、上記実施形態１．の内装部品としては、例えば、前記基材には前記第１リブに対向する第２リブが設けられており、前記導光体は、前記第１リブと前記第２リブとの間に挟持されている形態を挙げることができる。この第２リブの形状、大きさ、個数、設置形態等は特に問わない。
この場合、前記爪部は前記第２リブに一体形成されていることが好ましい。なお、上記「一体形成されている」とは、爪部の根元側が第２リブの一部により構成されている状態を意図している。
【００１５】
ここで、上記実施形態１．の内装部品としては、例えば、上記基材の表面には、ハーフミラーからなるシート材が設けられており、シート材の表面には、印刷部及び非印刷部が設けられており、上記導光体は、非印刷部の裏面側に配置されている形態を挙げることができる。このように基材の表面にハーフミラーからなるシート材が設けられているために、基材の裏面に取り付けられる導光体及び光源ユニットが不可視であり、イルミネーションの有無、つまり導光体及び光源ユニットの有無によらず基材を共用することができる。このシート材の種類、形状、大きさ、個数、設置形態等は特に問わない。
【００１６】
２．内装部品の組付方法
本実施形態２．に係る内装部品の組付方法は、上記実施形態１．の内装部品を用いる組付方法であって、上記導光体を、上記基材の第１リブと爪部の脚部との間に挟持させ、その導光体を基材に一体的に取り付けてなる一体物を内装品本体に取り付けることを特徴とする。
これにより、内装品本体に対して内装部品を組み付ける際に導光体の脱落を抑制することができ、内装品本体に対する内装部品の組付性を高めることができる。また、透光性を有する基材の裏面側から導光体により透過照明できるので、従来のように内装部品に隙間を設けるものに比べて、見栄えを向上させることができる。
【実施例】
【００１７】
以下、図面を用いて実施例により本発明を具体的に説明する。なお、本実施例では、本発明に係る「内装品」として自動車のドアトリムを例示する。また、本発明に係る「内装部品」としてドアトリムに取り付けられる加飾パネルを例示する。
【００１８】
（１）加飾パネルの構成
本実施例に係る加飾パネル１は、図１に示すように、ドアトリム２のアームレスト３の上側に取り付けられている。この加飾パネル１は、図２及び図３に示すように、矩形板状に形成された基材５と、長尺状の導光棒６（本発明に係る「導光体」として例示する。）と、を備えている。
【００１９】
上記基材５は、無色又は有色透明な樹脂からなり透光性を有している。この基材５の裏面側には、その外周側に沿って板状の外周側リブ７（本発明に係る「第１リブ」として例示する。）が設けられている。そして、成形時の型抜きを容易にするために後述する爪部９に対向する外周側リブ７が切り欠かれている。また、基材５の裏面側の外周側リブ７の上辺及び一側辺の内側には、外周側リブ７と所定間隔をもって対向する内周側リブ８（本発明に係る「第２リブ」として例示する。）が設けられている。
【００２０】
上記内周側リブ８には、図４及び図５に示すように、基材５の裏面側に向かって突出する複数の爪部９が一体形成されている。この爪部９の脚部は内周側リブ８の一部により構成されている。この爪部９は、支持柱１０（本発明に係る「脚部」として例示する。）と、この支持柱１０の先端側に設けられ且つドアトリム本体４に係止する係止フック１１と、を有している。この支持柱１０は、図６に示すように、その根元側の薄肉部１０ａと、この薄肉部１０ａに連なる厚肉部１０ｂと、薄肉部１０ａ及び厚肉部１０ｂを連絡する段差部１０ｃと、を有している。
【００２１】
上記導光棒６は、図３〜図５に示すように、爪部９のある部位では外周側リブ７と薄肉部１０ａと段差部１０ｃとの間に挟持されると共に、爪部９のない部位では外周側リブ７と内周側リブ８とドアトリム本体４との間に挟持されている。この導光棒６の一端側には、基材５の裏面側に取り付けられたＬＥＤユニット１２（図３参照）が接続されている。
【００２２】
上記基材５の表面側には、金属調のハーフミラーからなるシート材１５がフィルムインモールド等により貼り付けられている。このシート材１５の表面には、木目調の印刷部１６ａ及び非印刷部１６ｂが設けられている。この非印刷部１６ｂは、基材５に取り付けられた導光棒６と対向する箇所に配置されている。したがって、導光棒６は、シート材１５の非印刷部１６ｂの裏面側に配置されることとなる。
なお、上記ハーフミラーは、通常、反射光と透過光との強さの比がほぼ１：１とされている。
【００２３】
（２）加飾パネルの作用
次に、上記構成の加飾パネル１の作用について説明する。
加飾パネル１に導光棒６を取り付ける際には、導光棒６を、基材５の外周側リブ７と内周側リブ８との間に挿入すると共に、外周側リブ７と薄肉部１０ａとの間に圧入して、基材５の外周側リブ７と内周側リブ８と爪部９の薄肉部１０ａとで挟持させる。そして、導光棒６の一端側を基材５に取り付けられたＬＥＤユニット１２に接続する。その後、基材５に導光棒６及びＬＥＤユニット１２を一体に取り付けてなる加飾パネル１（一体物）をドアトリム本体４に位置合わせして、基材５の爪部９の係止フック１１をドアトリム本体４の取付部４ａに係止させると、加飾パネル１がドアトリム本体４に取り付けられることとなる。また、加飾パネル１がドアトリム本体４に取り付けられると、導光棒６は、爪部９がある部位では外周側リブ７と薄肉部１０ａと段差部１０ｃと取付部４ａとの間に挟持され、また爪部９がない部位では外周側リブ７と内周側リブ８と取付部４ａとの間に挟持されている。
【００２４】
上述のようにドアトリム本体４に取り付けられた加飾パネル１では、昼間等の非照明時には、その上端縁側はハーフミラーからなるシート材１５により中見えが抑制されると共に金属調の表面模様となり、その上端縁側以外の部位は印刷部１６ａにより木目調の表面模様となる。一方、夜間等の照明時には、その上端縁側は非印刷部１６ｂ及び透光性の基材５を介して導光棒６により透過照明される。
【００２５】
（３）実施例の効果
本実施例の加飾パネル１によると、導光棒６を、基材５の外周側リブ７と爪部９の支持柱１０との間に挟持させるようにしたので、導光棒６を基材５に一体的に取り付け、その一体物をドアトリム本体４に取り付けることができる。そのため、ドアトリム本体４に対して加飾パネル１を組み付ける際に導光棒６の脱落を抑制することができ、ドアトリム本体４に対する加飾パネル１の組付性を高めることができる。また、透光性を有する基材５の裏面側から導光棒６により透過照明できるので、従来のように内装部品に隙間を設けるものに比べて、見栄えを向上させることができる。
【００２６】
また、本実施例では、爪部９の支持柱１０に薄肉部１０ａを設け、導光棒６を、外周側リブ７と薄肉部１０ａとの間に挟持させるようにしたので、爪部９の支持柱１０の一部が薄肉部１０ａとなることにより、基材５の表面のヒケを抑制しつつ、この薄肉部１０ａが導光棒６を収納する凹部となり、基材５に対して導光棒６をより確実に挟持させることができる。
【００２７】
また、本実施例では、爪部９がない部位において、基材５に外周側リブ７に対向する内周側リブ６を設け、導光棒６を、外周側リブ７と内周側リブ８との間に挟持させるようにしたので、基材５に対して導光棒６をより確実に挟持させることができる。
【００２８】
また、本実施例では、爪部９を内周側リブ８に一体形成したので、基材５に対して導光棒６をさらに確実に挟持させることができる。また、導光棒６を直線状に配置させ易い。
【００２９】
また、本実施例では、加飾パネル１がドアトリム本体４に取り付けられると、導光棒６は、爪部９がある部位では外周側リブ７と薄肉部１０ａと段差部１０ｃと取付部４ａとの間に挟持され、また爪部９がない部位では外周側リブ７と内周側リブ８と取付部４ａとの間に挟持されている。つまり、ドアトリム本体４の取付部４ａが基材５の外周側リブ７と内周側リブ８と爪部９の薄肉部１０ａに挟持された導光棒６に蓋をするように基材５に取り付けられている。そのため、基材５に対して導光棒６をさらに確実に挟持させることができ、また導光棒６を基材５の所望の取付位置に確実に固定することができる。
【００３０】
また、本実施例では、基材５の表面にハーフミラーからなるシート材１５を設け、このシート材１５の表面に印刷部１６ａ及び非印刷部１６ｂを設け、導光棒６を非印刷部１６ｂの裏面側に配置したので、昼間等の非照明時にはハーフミラーにより非印刷部１６ｂでの中見えを抑制できると共に、非印刷部１６ｂによる金属調の表面模様と印刷部１６ａによる目調の表面模様とを隣接させることができる。一方、夜間等の照明時には非印刷部１６ｂ及び透光性の基材５を介して導光棒６により透過照明されてイルミネーション効果を高めることできる。
【００３１】
さらに、本実施例では、このように基材５の表面にハーフミラーからなるシート材１５が設けられているために、基材５の裏面に取り付けられる導光棒６及びＬＥＤユニット１２が不可視であり、イルミネーションの有無、つまり導光棒６及びＬＥＤユニット１２の有無によらず基材５を共用することができる。
【００３２】
尚、本発明においては、上記実施例に限られず、目的、用途に応じて本発明の範囲内で種々変更した実施例とすることができる。即ち、上記実施例では、内周側リブ８に爪部９を一体形成するものを例示したが、これに限定されず、例えば、外周側リブ７に爪部９を一体形成するようにしてもよい。
【００３３】
また、上記実施例では、外周側リブ７を基材５の外周側の全周囲に沿って設けるようにしたが、これに限定されず、例えば、外周側リブ７を基材５の外周側の一部（例えば、１〜３辺等）に沿って設けるようにしてもよい。
【００３４】
また、上記実施例では、加飾パネル１の外表面に印刷部１６ａ及び非印刷部１６ｂを配置させるようにしたが、これに限定されず、例えば、基材５とシート材１５との間に印刷部１６ａ及び非印刷部１６ｂを配置させるようにしてもよい。
【００３５】
さらに、上記実施例では、外周側リブ７と薄肉部１０ａと段差部１０ｃとの間に導光棒６を挟持させるようにしたが、これに限定されず、例えば、爪部９の支持柱１０に薄肉部と段差部を設けず、その支持柱１０と外周側リブ７との間に導光棒６を挟持させてもよい。また、外周側リブ７と薄肉部１０ａとの間でのみ導光棒６を挟持させるようにしてもよく、この場合、この段差部１０ｃは、導光棒６の脱落防止の機能を果たすこととなる。
【産業上の利用可能性】
【００３６】
イルミネーション演出可能な内装部品を内装品本体に組み付ける技術として広く利用される。特に、車両の内装部品の組み付け技術として好適に利用される。
【図面の簡単な説明】
【００３７】
【図１】実施例に係るドアトリムを示す斜視図である。
【図２】実施例に係る加飾パネルを示す斜視図である。
【図３】上記加飾パネルに導光棒及びＬＥＤユニットを取り付けた状態を示す斜視図である。
【図４】図３のＩＶ−ＩＶ線断面図である。
【図５】図３のＶ−Ｖ線断面図である。
【図６】図４の要部拡大図である。
【符号の説明】
【００３８】
１；加飾パネル、４；ドアトリム本体、５；基材、６；導光棒、７；外周側リブ、８；内周側リブ、９；爪部、１０ａ；薄肉部、１５；シート材、１６ａ；印刷部、１６ｂ；非印刷部。
【図１】
2010120604.tif 000003
【図２】
2010120604.tif 000004
【図３】
2010120604.tif 000005
【図４】
2010120604.tif 000006
【図５】
2010120604.tif 000007
【図６】
2010120604.tif 000008